(57)【要約】【課題】      底部の傷付きが防止されてスムースに縦向きから横向きに寝かせることができる釣り竿ケースを提供することである。【解決手段】  釣り竿ケースＴは、内部に釣り竿を収納可能なケース本体１を有し、このケース本体１周面の前面１ａ、後面１ｂはそれぞれ平面状に形成され、ケース本体１に上下に前面１ａから後面１ｂに延設するようにして折り返し、それぞれ帯状体を折り返したように湾曲する底部１ｅと上部１ｆが形成される。  ケース本体１の底部１ｅの右側面１ｃと左側面１ｄの側周縁に沿ってそれぞれ前面１ａから後面１ｂ方向に延びる脚部５、６が設けられている。【選択図】        図１
2009011244.tif 000002
【特許請求の範囲】
【請求項１】
ケース本体の前面側から後面側に向けて湾曲した底部を有する釣り竿ケースにおいて、前記底部のそれぞれ左右側面側に沿って前記ケース本体の前面側から後面側に連なる脚部を設けたことを特徴とする釣り竿ケース。
【請求項２】
脚部は最下部の前面側と後面側に凹部が形成されていることを特徴とする請求項１に記載の釣り竿ケース。
【請求項３】
脚部の接地部はケース本体の底部に沿った湾曲形状に形成されていることを特徴とする請求項１または２に記載の釣り竿ケース。
【発明の詳細な説明】
【技術分野】
【０００１】
本発明は、ケース本体の前面側から後面側に向けて湾曲した底部を有する釣り竿ケースに関する。
【背景技術】
【０００２】
従来から釣り竿ケースは、釣り場まで持ち運ぶ途中はショルダーベルトを肩に掛けて縦向きにして持ち運ぶことが多く、釣り場に持ち込まれた釣り竿ケースはそのまま縦向きに置けるように底部に平面状の接地面を有するカップ状の底皿を有するものが多かった。
一方、ヘラブナ釣り等地面に近い位置に座って行う釣りにおいては釣り場まで携行した
釣り竿ケースを自分の釣り座近傍の地面に横向きに置くため底部に補強が無いものが多い。
しかし、このような釣り竿ケースでも釣り場に持ち込んだ時はその底部を地面に付けたまま縦向きから横向きに寝かせて地面に置くことが多く、底部の傷付きが懸念されていた。
【特許文献１】特開平１１−１９６７４３号公報
【発明の開示】
【発明が解決しようとする課題】
【０００３】
解決しようとする問題点は、釣り竿ケースの底部を地面に付けたまま縦向きから横向きに寝かせて地面に置く時に、底部が傷付きやすいことである。
【０００４】
本発明の目的は、前記欠点に鑑み、釣り竿ケースの底部を地面に付けたまま縦向きから横向きに寝かせて地面に置く時に、底部の傷付きが防止されてスムースに縦向きから横向きに寝かせることができる釣り竿ケースを提供することである。
【課題を解決するための手段】
【０００５】
本発明の請求項１は、ケース本体の前面側から後面側に向けて湾曲した底部を有する釣り竿ケースにおいて、前記底部のそれぞれ左右側面側に沿って前記ケース本体の前面側から後面側に連なる脚部を設けたことを要旨とするものである。
本発明の請求項２は、脚部は底部の最下部の前面側と後面側に凹部が形成されていることを要旨とするものである。
本発明の請求項３は、脚部の接地部はケース本体の底部に沿った湾曲形状に形成されていることを要旨とするものである。
【発明の効果】
【０００６】
本発明により、釣り竿ケースの底部を地面に付けたまま縦向きから横向きに地面に置く時に、釣り竿ケースの底部の傷付きが防止され、スムースに縦向きから横向きにすることができる。
【発明を実施するための最良の形態】
【０００７】
以下、図示した実施例によって本発明を説明すると、図１から図３は本願の釣り竿ケースで、図１は釣り竿ケースの全体図、図２は釣り竿ケースの底部の拡大図、図３は釣り竿ケースの底部の断面図である。
【０００８】
釣り竿ケースＴは、内部に釣り竿を収納可能なケース本体１を有し、このケース本体１には釣り竿ケースＴを持ち運ぶためのショルダーベルト３とハンドル４が取り付けられている。
【０００９】
ケース本体１は、上下方向に長尺に形成され、その周面は前面１ａ、後面１ｂ、右側面１ｃ、左側面１ｄを有し、前面１ａに内部の収納部Ｓに釣り竿を出し入れするための開口２（２ａ、２ｂ、２ｃ）が形成され、開口２はケース本体１の上下方向にケース本体１の前面１ａの下側からケース本体１の上部１ｆまで延設されている。
この開口２（２ａ、２ｂ、２ｃ）に沿ってチャックが設けられ図示しないスライダーを操作して開閉可能になっている。
また、ケース本体１の内部の収納部Ｓは開口２（２ａ、２ｂ、２ｃ）ごとに釣り竿が収納可能で、収納部Ｓの内部は開口ごとに図示しない仕切が設けられ区切られている。
【００１０】
ケース本体１周面の前面１ａ、後面１ｂ、右側面１ｃ、左側面１ｄはそれぞれ平面状に形成され、ケース本体１の上下に前面１ａから後面１ｂにその平面状のまま延設するようにして折り返し、それぞれ帯状体を折り返したようにして、それぞれ下方側、上方側に突状に湾曲する底部１ｅと上部１ｆが形成される。
【００１１】
このようにケース本体１周面の底部１ｅ、上部１ｆが湾曲状に形成されることで、底部１ｅと上部１ｆの周縁に接合される右側面１ｃ、左側面１ｄは底部１ｅと上部１ｆの周縁形状に合致して、その底部１ｅ側と上部１ｆ側の端縁が円弧状に形成される。
【００１２】
このように形成されたケース本体１の後面１ｂに上下方向に沿って延びるショルダーベルト３が取り付けられ、釣り竿ケースＴを上下方向に縦向きにして肩に掛けて持ち運ぶことができ、また、ケース本体１の右側面１ｃ、左側面１ｄの長手方向中央側には前面１ａ側に向けて突出する一対のＵ字状のハンドル４、４が取り付けられ、ハンドル４、４を握持して釣り竿ケースＴを横向きにして持ち運ぶことができると共に、ショルダーベルト３で肩に掛けた釣り竿ケースＴを縦向きにして底部１ｅを地面に下ろした後に、ハンドル４、４を握持して釣り竿ケースＴを横向きにし倒伏して後面１ｂを下にして地面に載置することができる。
【００１３】
図３のように、ケース本体１の底部１ｅは、ケース本体１の外側に補強シート７が底部１ｅの湾曲に沿って貼着され、また、補強シート７を介してケース本体１の底部１ｅの右側面１ｃ側と左側面１ｄ側周の縁に沿ってそれぞれ前面１ａ側から後面１ｂ側に延びる脚部５、６が設けられ、この一対の脚部５、６はレール状に地面に向けて下方に突出してケース本体１の前面１ａから後面１ｂ方向に連なって、底部１ｅの湾曲形状に合致するように湾曲して形成されている。
【００１４】
脚部５、６は、ゴム、合成樹脂で形成されケース本体１を構成する材料より地面に対して摩擦が大きい材料で形成してケース本体１を地面に置いたときの滑りを防止し、その中央側と両端側がビスＢによりケース本体１の底部１ｅに取り付けられている。
なお、図３のように脚部５、６を底部１ｅに取り付けたビスＢの頭部は脚部５、６の孔Ｈ内に配されて脚部５、６から突出しないようになっている。
また、ケース本体１の底部１ｅ内部に突出したビスＢを覆うカバー体８が貼着され、収納した釣り竿の傷付きを防止している。
【００１５】
脚部５、６は、その接地面側の最下部Ｐの前面１ａ側と後面１ｂ側にそれぞれ左右方向に溝状に延びる凹部５ａ、６ａと５ｂ、６ｂが形成され、脚部５、６は、これら凹部５ａ、６ａと５ｂ、６ｂで区切られて、最下部Ｐを有する凸部５ｄ、６ｄと前面１ａ側の凸部５ｃ、６ｃと後面１ｂ側の凸部５ｂ、６ｂが形成される。
これら凸部５ｄ、６ｄ、５ｃ、６ｃ、５ｅ、６ｅの接地面側は底部１ｅに沿って湾曲状に形成されている。
なお、図３の（  ）内の符号は脚部６に対応する脚部５の構成の符号を付したものである。
【００１６】
このように形成された釣り竿ケースＴをケース本体１の底部１ｅを下側にして地面に置くと、底部１ｅの中央側（脚部５と脚部６の間の部分）は接地せずにその両側の脚部５、６が接地する。
次に、ケース本体１をその脚部５、６が接地したまま底部１ｅおよび脚部５、６の湾曲形状に沿って後面１ｂが下側になるように傾けると脚部５、６の接地した部分は徐々に凸部５ｄ、６ｄから凸部５ｅ、６ｅ側（後面１ｂ側）に移る。
この時に、脚部５、６は同じ高さに形成され、その凸部５ｄ、６ｄ、５ｃ、６ｃ、５ｅ、６ｅの接地面側は底部１ｅに沿って湾曲状に形成されているためスムースにケース本体１を縦向きから横向きに倒伏させることができる。
【００１７】
また、脚部５、６は、その接地面側の最下部Ｐの前面１ａ側と後面１ｂ側にそれぞれ左右方向に溝状に延びる凹部５ａ、６ａと５ｂ、６ｂが形成されているためケース本体１を傾けるときに凹部５ａ、６ａと５ｂ、６ｂによってその隣の凸部５ｄ、６ｄ、５ｃ、６ｃ、５ｅ、６ｅの端部が一時だけ地面と接触して、ケース本体１が傾く動きを規制し、ケース本体１の傾け操作に節度感を与えるため急に倒れることが防止される。
【００１８】
しかも、図１のように釣り竿ケースＴを傾けた状態にして、壁などに立て掛けておくときは、脚部５、６は、その接地面側の最下部Ｐの前面１ａ側と後面１ｂ側にそれぞれ左右方向に溝状に延びる凹部５ａ、６ａと５ｂ、６ｂが形成されているため、後面１ｂ側に傾けると凹部５ｂ、６ｂの両側の凸部５ｄ、６ｄと５ｅ、６ｅが、前面１ａ側に傾けると凸部５ｄ、６ｄと５ｃ、６ｃがそれぞれ接地することで地面に対して安定させることができる。
【００１９】
なお、脚部５、６は、ケース本体１の前面１ａから後面１ｂ方向に連続して設けているが凹部５ａ、６ａと５ｂ、６ｂの部分が途切れて凸部５ｂ、６ｂ、５ｃ、６ｃ、５ｅ、６ｅがそれぞれ独立して形成されてもこれらがケース本体１の前面１ａ側から後面１ｂ側に連続するように並べて設けられていればよい。
【産業上の利用可能性】
【００２０】
本発明は釣り竿ケース全般に利用できる。
【図面の簡単な説明】
【００２１】
【図１】釣り竿ケースの全体図である。
【図２】釣り竿ケースの底部の拡大図である。
【図３】釣り竿ケースの底部の断面図である。
【符号の説明】
【００２２】
Ｔ      釣り竿ケース
１      ケース本体
１ｅ    底部
２      開口
３      ショルダーベルト
４      ハンドル
５、６      脚部
５ａ、６ａ、５ｂ、６ｂ  凹部
５ｄ、６ｄ、５ｃ、６ｃ、５ｅ、６ｅ  凸部
【図１】
2009011244.tif 000003
【図２】
2009011244.tif 000004
【図３】
2009011244.tif 000005